(57)【要約】【課題】  本発明は引き舟に係り、転覆し難く、また、転覆したときには、容易に反転して元の姿勢に復元可能な引き舟を提供することを目的とする。【解決手段】  請求項１に係る発明は、浮力体を設けて水に浮くように形成した容器本体に牽引ロープを取り付けた引き舟に於て、前記容器本体の後部側に、水を溜める水溜め部を形成し、容器本体の前部側に、水が流入する通水孔を設けた通水部を形成すると共に、前記浮力体の浮力を容器本体の左右で均等とし、前記通水部側に比し水溜め部側の浮力を大きくしたことを特徴とする。  そして、請求項２に係る発明は、請求項１に記載の引き舟に於て、前記通水部の通水孔を、容器本体の上面側と底面側とに設けたことを特徴とする。【選択図】    図１
2010045993.tif 000002
【特許請求の範囲】
【請求項１】
浮力体を設けて水に浮くように形成した容器本体に牽引ロープを取り付けた引き舟に於て、
前記容器本体の後部側に、水を溜める水溜め部を形成し、
容器本体の前部側に、水が流入する通水孔を設けた通水部を形成すると共に、
前記浮力体の浮力を容器本体の左右で均等とし、前記通水部側に比し水溜め部側の浮力体の浮力を大きくしたことを特徴とする引き舟。
【請求項２】
前記通水部の通水孔を、容器本体の上面側と底面側とに設けたことを特徴とする請求項１に記載の引き舟。
【請求項３】
前記通水部側に比し水溜め部側の浮力体を、上下方向に肉厚に形成したことを特徴とする請求項１または請求項２に記載の引き舟。
【請求項４】
前記通水部側に比し水溜め部側の浮力体を、下方に突出させて形成したことを特徴とする請求項１乃至請求項３のいずれか１項に記載の引き舟。
【発明の詳細な説明】
【技術分野】
【０００１】
本発明は、鮎釣りのように流れの中に立ち込んで釣りをする場合に使用する引き舟に関する。
【背景技術】
【０００２】
従来、鮎釣りのように流れの中に立ち込んで釣りをする場合に引き舟が使用され、図７に示すように釣人１は、引き舟３を牽引ロープ５で身体に係留して牽引し乍ら水に浮かべて釣りを行い、水の中に立ち込んだまま釣れた魚を引き舟３に収納している。
【０００３】
ところで、既述したように引き舟３は、牽引ロープ５で繋いで一端を止着具７で身体（例えばベルト９）に係留して水の中に浮かべて引き流しておくため、流れの渦に巻き込まれると転覆してしまうという欠点を有していた。
【０００４】
そこで、この問題を解決するため、特許文献１には、引き舟の左右両側に浮力の異なる浮力体（フロート部材）を設けて、転覆した際に反転し易くした引き舟が開示されている。
【特許文献１】実公平５−３４５３９号公報
【発明の開示】
【発明が解決しようとする課題】
【０００５】
しかし、前記引き舟は、転覆状態から元の状態に復元し易いように左右の浮力体のバランスを変えているため、始めから傾いて水に浮いてしまい、通常の使用に於て転覆し易くなってしまう欠点があった。従って、このような構造では、基本的な引き舟の使用に障害が生じてしまうこととなる。
【０００６】
本発明は斯かる実情に鑑み案出されたもので、転覆し難く、また、転覆したときには、容易に反転して元の姿勢に復元可能な引き舟を提供することを目的とする。
【課題を解決するための手段】
【０００７】
斯かる目的を達成するため、請求項１に係る発明は、浮力体を設けて水に浮くように形成した容器本体に牽引ロープを取り付けた引き舟に於て、前記容器本体の後部側に、水を溜める水溜め部を形成し、容器本体の前部側に、水が流入する通水孔を設けた通水部を形成すると共に、前記浮力体の浮力を容器本体の左右で均等とし、前記通水部側に比し水溜め部側の浮力体の浮力を大きくしたことを特徴とする。
【０００８】
そして、請求項２に係る発明は、請求項１に記載の引き舟に於て、前記通水部の通水孔を、容器本体の上面側と底面側とに設けたことを特徴とする。
【０００９】
更に、請求項３に係る発明は、請求項１または請求項２に記載の引き舟に於て、前記通水部側に比し水溜め部側の浮力体を、上下方向に肉厚に形成したことを特徴とし、請求項４に係る発明は、請求項１乃至請求項３のいずれか１項に記載の引き舟に於て、前記通水部側に比し水溜め部側の浮力体を、下方に突出させて形成したことを特徴とする。
【発明の効果】
【００１０】
請求項１に係る発明によれば、浮力体の浮力を容器本体の左右で均等としたため、引き舟は左右水平に浮かび転覆し難い。
【００１１】
また、水流で煽られて転覆しても、容器本体の前部側の浮力が小さく、また、前部側に通水孔を設けたため、引き舟の前部側が速やかに沈んで水流を受け易くなる。そして、この沈下状態で、通水部側に比し水溜め部側の浮力を大きくして、水溜め部側の浮力体の浮力で引き舟を上方に押し上げる力が強く作用するように構成したので、強い水流が当たると、引き舟に発生した左右方向への回転力に浮力体の大きな浮力が回転を加速させて反転力を補助し、この結果、従来に比し引き舟が速やかに反転して、引き舟の良好な使用が可能となった。
【００１２】
そして、請求項２に係る発明の如く通水部の通水孔を、容器本体の上面側と底面側とに設けることで、転覆すると、水面下となった上面側の通水孔から水が内部に流入すると同時に、水面上を向いた底面の通水孔から空気が抜けるため、浮力の小さい通水部側（引き舟の前部側）が速やかに沈み始める利点を有する。
【００１３】
更に、請求項３及び請求項４に係る発明によれば、通水部側に比し水溜め部側の浮力体を下方に突出させて肉厚にするという簡単な構成によって、請求項１に係る発明の作用効果を実現することができる。
【発明を実施するための最良の形態】
【００１４】
以下、本発明の実施形態を図面に基づいて詳細に説明する。
【００１５】
図１乃至図４は請求項１乃至請求項４に係る引き舟の第一実施形態を示し、図中、１１は硬質な合成樹脂材料を用いてボックス状の舟型に形成された容器本体で、該容器本体１１は、上方が開口した船底型の底部１３と、該底部１３の開口を塞ぐように底部１３の上方に取り付く板状の上部１５とで構成されている。そして、容器本体１１は、その形状自体が有する浮力と、上部１５の裏面側左右に沿って取り付く後述する側部浮力体１７，１９の浮力と、底部１３の舳先内に埋設された後述する前部浮力体２１の浮力で水に浮くようになっている。底部１３の舳先側は、左右側面から先端の中央へと向かう傾斜面２３が形成されて、正面から受けた水流を左右外側に流すように構成されている。
【００１６】
また、前記傾斜面２３に設けた透孔２５に紐２７が挿通されてハンドル２９が取り付き、該ハンドル２９に牽引ロープ３１の一端が取り付けられている。そして、牽引ロープ３１の他端側に、ベルト等への止着具（図示せず）が取り付けられている。
【００１７】
而して、図１及び図２に示すように前記上部１５の舳先側に魚の取出口３３が形成されると共に、該取出口３３を開閉する前開きの蓋体３５が蝶番３７を介して取り付けられており、蓋体３５の前部に該蓋体３５の開閉操作部３９が装着され、蓋体３５の後部が前記蝶番３７によって上部１５に取り付けられている。
【００１８】
尚、前記蓋体３５は容器本体１１の上部１５に含まれ、魚の取出口３３を有しない場合は上部１５に蓋体３５を設けなくてもよい。
【００１９】
図２に示すように前記開閉操作部３９は断面Ｌ字状の係止片からなり、該開閉操作部３９は蓋体３５を挿通して、その一端４１側が、蓋体３５の上部に設けた凹部４３内に回動軸４５を介して前後方向へ回動可能に軸着されている。
【００２０】
一方、鋭角に形成された開閉操作部３９の他端側の係止部４７が、底部１３の内面に設けた係止孔４９に係止しており、開閉操作部３９は、図示しないバネのバネ力で係止部４７が係止孔４９に常時係止するように付勢されている。そして、前記凹部４３内に突出する開閉操作部３９の一端４１を前記バネのバネ力に抗して前方へ操作すると、係止部４７と係止孔４９との係止状態が解除されて蓋体３５が開き、取出口３３が開放するようになっている。
【００２１】
更に、図１及び図２に示すように前記蓋体３５に、釣れた魚（鮎）を引き舟５１（容器本体１１）内に投入する平面視略楕円形状の投入口５３が設けられており、該投入口５３に、内方から閉塞方向に付勢された閉塞体５５が回動可能に取り付けられている。
【００２２】
前記閉塞体５５は、左右に分割された一対の平面視略半楕円形状の分割体５５ａ，５５ｂからなり、各分割体５５ａ，５５ｂは、夫々の一端側の前部が回動軸５７を介して投入口５３の裏面側周縁部に回動可能に取り付けられ、他端側の後部が投入口５３に対し開閉する自由端となっている。そして、前記回動軸５７に巻着されたコイルバネ５９のバネ力で、両分割体５５ａ，５５ｂは投入口５３を内方から閉塞する方向に付勢されている。
【００２３】
また、図１及び図２に示すように閉塞体５５の前側に、上方へ突出する凸部６１が両分割体５５ａ，５５ｂに亘って設けられており、魚を握ったままの手でコイルバネ５９のバネ力に抗して前記凸部６１を下方へ押圧すると、両分割体５５ａ，５５ｂが下方に開いて、投入口５３から魚が引き舟５１内に簡単に投入できるようになっている。
【００２４】
そして、容器本体１１は、前方側の底部１３と上部１５とに、容器本体１１の外部から内部に通じる開放状の孔で形成した通水孔６３，６５，６７が設けられており、底部１３側の通水孔６３，６５は、前記傾斜面２３よりもやや後方の側面６９と底面７１とに前後方向にスリット状に複数形成され、上部１５側の通水孔６７は、前記蓋体５５の回動軸５７に軸着した前側から自由端たる後側へと放射状に複数設けられている。そして、図２に示すように、底部１３の側面６９と底面７１とに設けた通水孔６３，６５の後端７３が、ともに容器本体１１の前後方向の中央に位置している。そして、上部１５には該後端７３と略同一線上に排水口７５が設けられており、斯かる構成によって、図２〜図４に一点鎖線で示した前記後端７３を境に、容器本体１１の後部側内部が魚を活かしておける水溜め部７７となっており、後部を下に容器本体１１を立ち上げたとき、前記水溜め部７７に水が残るようになっている。
【００２５】
一方、前記後端７３を境に、容器本体１１の水溜め部７７より前部側内部が通水部７９となっており、牽引ロープ３１で牽引し乍ら引き舟５１を流れに引き流すと、舳先が流れの上流を向いて浮き、前記通水孔６３，６５から流入した新鮮な水が容器本体１１内を循環して、前記排水口７５から流出するようになっている。
【００２６】
そして、図１及び図３に示すように、容器本体１１の上部１５の裏面側左右側部に、夫々、一対の側部浮力体１７，１９が該側部に沿って前後方向に装着されると共に、容器本体１１の底部１３の舳先内に前部浮力体２１が埋設されている。
【００２７】
前記側部浮力体１７，１９と前部浮力体２１は、発泡合成樹脂や空気を注入した袋体等で形成されており、側部浮力体１７，１９は同じ浮力で左右対称の均等に形成されて、引き舟５１（容器本体１１）が左右水平に浮かぶようになっている。そして、図３に示すように、側部浮力体１７，１９は、通水部７９と水溜め部７７との境目を境に、前方側（通水部７９側）よりも後方側（水溜め部７７側）が下方へ突出して肉厚に形成されており、側部浮力体１７，１９は、通水部７９側よりも水溜め部７７側での体積が大きく浮力が大きくなっている。そして、前部浮力体２１と側部浮力体１７，１９を合わせた場合も、通水部７９側よりも水溜め部７７での体積が大きく浮力が大きくなっており、好ましくは後方側（水溜め部７７側）に全体の６０〜８０％の浮力体が配されている。
【００２８】
尚、図３に示すように、前方側での側部浮力体１７，１９は前後方向に均一な厚みで形成され、また、厚肉な後方側での側部浮力体１７，１９も、前後方向に均一な厚みとされている。
【００２９】
本実施形態に係る引き舟５１はこのように構成されているから、牽引ロープ３１で牽引し乍ら引き舟５１を流れに引き流しておくと、舳先が流れの上流を向いて浮き、前記通水孔６３，６５から流入した新鮮な水が容器本体１１内を循環して、前記排水口７５から流出する。そして、既述したように左右一対の側部浮力体１７，１９が同じ浮力で均等に形成されているため、引き舟５１は左右水平に浮かび、転覆し難い。
【００３０】
また、水流で煽られて転覆することもあるが、図４の如く転覆すると先ず、水溜め部７７に水が満たされて引き舟５１の後部側が速やかに沈む。このとき、水溜め部７７側の側部浮力体１７，１９によって引き舟５１を上方に押し上げる力が強く作用している。
【００３１】
次に、水面下となった上部１５側の通水孔６７や側面６９の通水孔６３から水Ｗが内部に流入すると同時に、水面上を向いた底面７１の通水孔６５から空気Ａが抜けて、浮力の小さい通水部７９側（引き舟５１の前部側）が速やかに沈み始める。
【００３２】
而して、このように引き舟５１の前部側が速やかに沈み始めて引き舟５１全体が沈むと、転覆した引き舟５１の側面６９や底面７１に水流が当たり易くなるため、引き舟５１が直ちに左右に振れ始める。そして、この状態で底面７１の前方側左右の傾斜面２３の何れかに強い水流が当たると、左右方向への回転力が引き舟５１に与えられ、これがきっかけになって水溜め部７７側の側部浮力体１７，１９の大きな浮力が回転を加速させて反転力を補助するため、引き舟５１が速やかに回転して元の上部１５を上にした姿勢に速やかに復元することとなる。
【００３３】
このように本実施形態によれば、側部浮力体１７，１９の浮力を引き舟５１の左右で均等としたため、引き舟５１は左右水平に浮かび転覆し難い。
【００３４】
また、水流で煽られて転覆しても、前記通水孔６３，６７から水Ｗが内部に流入すると同時に、前記通水孔６５から空気Ａが抜けて内部に水Ｗが速やかに流入するように構成したため、引き舟５１が速やかに沈んで水流を受け易くなる。そして、この沈下状態で、水溜め部７７側の側部浮力体１７，１９の浮力で引き舟５１を上方に押し上げる力が強く作用するように構成したため、強い水流が当たると、引き舟５１に発生した左右方向への回転力に側部浮力体１７，１９の大きな浮力が回転を加速させて反転力を補助し、この結果、本実施形態によれば、従来に比し引き舟５１が上部１５を上にした姿勢に速やかに反転して、引き舟５１の良好な使用が可能となった。
【００３５】
尚、通水孔６３，６７は常時開放状に形成されて、水Ｗが速やかに流入するようになっている。
【００３６】
また、本実施形態によれば、通水部７９側に比し水溜め部７７側の側部浮力体１７，１９を下方に突出させて肉厚にするという簡単な構成によって、既述した本実施形態の作用効果を実現することができる。
【００３７】
図５及び図６は請求項１乃至請求項４の第二実施形態に係る引き舟を示し、本実施形態に係る引き舟８１は、前記引き舟５１の構成に加え、側部浮力体１７，１９に沿って両側部浮力体１７，１９を貫通する通水孔８３を上部１５に更に設けたもので、この構成によれば、転覆時に水の浸入を早め、更に素早い反転が可能となる。そして、前記蓋体３５に通水孔を設けてもよい。
【図面の簡単な説明】
【００３８】
【図１】請求項１乃至請求項４の第一実施形態に係る引き舟の全体斜視図である。
【図２】引き舟の断面図である。
【図３】側部浮力体に沿った引き舟の断面図である。
【図４】転覆した引き舟の断面図である。
【図５】請求項１乃至請求項４の第二実施形態に係る引き舟の全体斜視図である。
【図６】側部浮力体に沿った引き舟の断面図である。
【図７】引き舟の使用状態の説明図である。
【符号の説明】
【００３９】
１  容器本体
１３  底部
１５  上部
１７，１９  側部浮力体
２１  前部浮力体
２３  傾斜面
２９  ハンドル
３１  牽引ロープ
３３  取出口
３５  蓋体
３９  開閉操作部
５１，８１  引き舟
５３  投入口
５５  閉塞体
６３，６５，６７，８３  通水孔
６９  側面
７１  底面
７３  後端
７５  排水口
７７  水溜め部
７９  通水部
【図１】
2010045993.tif 000003
【図２】
2010045993.tif 000004
【図３】
2010045993.tif 000005
【図４】
2010045993.tif 000006
【図５】
2010045993.tif 000007
【図６】
2010045993.tif 000008
【図７】
2010045993.tif 000009